(57)【要約】  コッキング操作を必要とせずに、複数個の弾丸の連続発射を可能にした複数弾連続発射機能を備えた電動ガンを提供する。複数個のバレルを有する電動ガンは、複数個のバレルの後部に位置し、エア噴射ノズル（２４）を先端に有し、内部をピストン（３１，３２，３３）が往復運動する複数個のシリンダー（２１，２２）を有するシリンダーアセンブリーと、各シリンダー（２１，２２）内にて往復運動し圧縮エアを生成する複数個の上記ピストン（３１，３２，３３）を有し、複数個のピストン（３１，３２，３３）を後方の結合部（３４）にて一か所にまとめ、また、往復運動方向に沿ったラック（３６）を有する１個のピストン軸（３５）を結合部（３４）と一体に設けたピストンアセンブリーと、上記ピストンアセンブリーを後退させるとともに弾性部材を蓄圧し、蓄圧の解放によりエアを圧縮するために、ラック（３６）と噛合う出力ギヤを駆動する電動機構とを備える。
2016151763.tif 000002
【特許請求の範囲】
【請求項１】
複数個のバレルを有し、各バレルの装弾部に配置された弾丸を発射するために各弾丸にエアを噴射する電動式の圧縮エア生成部を備えた電動ガンであって、圧縮エア生成部として、複数個のバレルの後部に位置し、エア噴射ノズルを先端に有し、内部をピストンが往復運動する複数個のシリンダーを有するシリンダーアセンブリーと、各シリンダー内にて往復運動し圧縮エアを生成する複数個の上記ピストンを有し、複数個のピストンを後方の結合部にて一か所にまとめ、また、往復運動方向に沿ったラックを有する１個のピストン軸を結合部と一体に設けたピストンアセンブリーと、上記ピストンアセンブリーを後退させるとともに弾性部材を蓄圧し、蓄圧の解放によりエアを圧縮するために、ラックと噛合う出力ギヤを駆動する電動機構とを備えて構成された複数弾発射型電動ガン。
【請求項２】
複数個のピストンは、結合部に融通性をもって結合され、それによりピストンとシリンダー内壁面との間のシール性能が維持されるように構成されている請求項１記載の複数弾発射型電動ガン。
【請求項３】
シリンダーアセンブリーは、複数個のパイプ部材と、各パイプ部材を先端部にて固定する前部固定部材と、各パイプ部材後端部にて固定する後部固定部材を有して構成されており、前部固定部材にはエア噴射ノズルが設けられ、また、後部固定部材にはピストンの挿入口が開口している請求項１記載の複数弾発射型電動ガン。
【請求項４】
ピストンシリンダー機構は三組から成り、ピストンアセンブリーは正面から見て三組が最密的に配置されることで三角形状に組み合わされ、その三組の中心部よりも下方にずれた位置関係を取る結合部を介してピストン軸が配置されており、下方にずれた部分の上部にラックが位置するように構成されている請求項１ないし３のいずれかに記載の複数弾発射型電動ガン。
【請求項５】
装弾部とエア噴射ノズルに接続されるインターノズルを有し、インターノズルはエア噴射ノズルに対して気密的に摺動可能であり、かつ、ピストン軸と係合して後退するノズルベースと一体的に設けられ、ノズルベースは上記後退に伴い弾丸供給路を開口して弾丸移動を許容したのち係合解除される係合部を有し、係合解除に伴って付勢手段により前進し、インターノズルの先端部にて装弾部に弾丸を押し込むように構成されている請求項１記載の複数弾発射型電動ガン。
【発明の詳細な説明】
【技術分野】
【０００１】  本発明は、複数個のバレルを有し、各バレルから弾丸を発射するために各弾丸にエアを噴射する電動式の圧縮エア生成部を備えた電動ガンに関するものである。
【背景技術】
【０００２】  模擬銃と称される種類の銃には様々なタイプのものがあり、かつての趣味的な存在から変貌を遂げつつある。それは、模擬銃が火薬を用いず高い安全性を有すること、また、高品質、高精度に発達していることなどが評価された結果であると考えられる。模擬銃は、今や実銃を補完するものとして、警察、自衛隊における訓練用途等にも広く用いられている。この用途に適する模擬銃には、圧縮ガスを使用するガス銃、ピストンシリンダー機構により生成される圧縮エアを使用するエアガンなどがあり、エアガンには手動操作によるものの他、電動機構による電動ガンがある。【０００３】  本発明の目的の一つはこうした模擬銃の機能をより充実させることにあり、具体的には複数個のバレルから弾丸を連続発射することができる模擬銃を提供することにある。複数個のバレルから弾丸を発射する模擬銃それ自体はすでに公知である。しかし、複数個のバレルから弾丸を発射する従来の模擬銃は手動操作によるもののみであった。例えば、複数弾発射装置に関する特開２０１３−８３４０３号、特開２０１３−７６５２６号の発明はその例である。これらの模擬銃は発射の都度、撃発動作のために準備動作（コッキング）を行わなければならず、従って、連続発射には向いていない。【０００４】  これに対して、電動ガンはピストンシリンダー装置を用いてエアを圧縮し、圧縮エアを複数個のバレルから弾丸を発射するという方式である。しかし、この方式の場合、発射威力を比較的容易に変えることができるという問題があった。例えば、複数個のバレルの内のいずれかを塞ぐ改造が行なわれた場合、残されたバレルに全ての圧縮エアが集中することになる。模擬銃では、ＢＢ弾と呼ばれる６ｍｍの弾丸を使用した場合、特定された測定点における運動エネルギーが３．５Ｊ／ｃｍ２を超えないことと銃砲刀剣類所持等取締法第１条の２等の規定されている。しかし、上記改造がなされた場合、残りのバレルから発射された弾丸のエネルギーが上記規定値を超えないとは断言できない。【０００５】  電動機構を採用した模擬銃である電動ガンは、本願の出願人によって開発された特開平３−２２１７９３（特公平７−４３２３８）号のオートマチック式エアガンに係る発明を嚆矢として発展したものである。この種の電動ガンは、本来は弾丸の連続発射を可能にするために開発されたもので、そもそもが、弾丸を順次発射する連発という発想に基づいており、従って、いわゆる電動ガンは常に１個の弾丸を連続発射するものであった。電動ガンは飽くまで１個の弾丸を連発するものであるという通念がメーカー側にもユーザー側にも存在し、これを複数弾発射装置に適用することは考えられたことがなかったのである。【０００６】
【特許文献１】特開２０１３−８３４０３号
【特許文献２】特開２０１３−７６５２６号
【特許文献３】特開平３−２２１７９３号
【発明の開示】
【発明が解決しようとする課題】
【０００７】  本発明は前記の実情に鑑みてなされたもので、その課題は、コッキング操作を必要とせずに、複数個の弾丸の連続発射を可能にした複数弾連続発射機能を備えた電動ガンを提供することである。また、本発明の他の課題は、いわゆる銃刀法の規定が順守されるように弾丸を複数個のバレルから常に同じ圧力で発射できるようにすることである。
【課題を解決するための手段】
【０００８】  前記の課題を解決するため、本発明は、複数個のバレルを有し、各バレルから弾丸を発射するために各弾丸にエアを噴射する電動式の圧縮エア生成部を備えた電動ガンとして、圧縮エア生成部として、複数個のバレルの後部に位置し、内部をピストンが往復運動し、エア噴射ノズルを先端に有する複数個のシリンダーを有するシリンダーアセンブリーと、各シリンダー内にて往復運動し圧縮エアを生成する複数個の上記ピストンを有し、複数個のピストンを後方の結合部にて一か所にまとめ、また、往復運動方向に沿ったラックを有する１個のピストン軸を結合部と一体に設けたピストンアセンブリーと、上記ピストンアセンブリーを後退させるとともに弾性部材を蓄圧し、蓄圧の解放によりエアを圧縮するために、ラックと噛合う出力ギヤを駆動する電動機構とを備えて構成するという手段を講じたものである。【０００９】  本発明に係る電動ガンは、複数個のバレルから弾丸を発射するものであり、各１個のバレルから一回ごとに発射される弾丸の数は１個が基本である。つまり、１個のバレルから１個の弾丸を発射することが基本である点は従来の電動ガンの場合に共通する。しかし、バレルに装填する弾丸の数を切り替えられることは、前記特開２０１３−８３４０３号の発明に記載されているとおりであるから、その構成を本発明に適用し１個のバレルから複数個の弾丸を発射することも技術的に可能な事柄である。【００１０】  本発明に係る電動ガンは、各弾丸にエアを噴射するために電動式の圧縮エア生成部を備えている。圧縮エア生成部として、本発明ではシリンダーアセンブリーと、ピストンアセンブリー及び電動機構を備えている。シリンダーアセンブリーとピストンアセンブリーは組合わさってピストンシリンダー機構を構成し、電動機構はピストンアセンブリーを駆動する。【００１１】  上記シリンダーアセンブリーは、複数個のバレルの後部に位置し、内部をピストンが往復運動し、エア噴射ノズルを先端に有する複数個のシリンダーから成る。本発明の装置として、シリンダーアセンブリーが複数個のシリンダーと、各シリンダーを先端部にて固定する前部固定部材と、各シリンダーを後端部にて固定する後部固定部材を有して構成されており、前部固定部材にはエア噴射ノズルが設けられ、また、後部固定部材にはピストンの挿入口が開口している構成は、好ましいものである。【００１２】  ピストンアセンブリーは、各シリンダー内にて往復運動し圧縮エアを生成する複数個の上記ピストンを有し、複数個のピストンを後方の結合部にて一か所にまとめ、また、往復運動方向に沿ったラックを有する１個のピストン軸を結合部と一体に設けた構成を有している。これにより、複数個のピストンが１個のピストン軸で往復運動するので、複数個のシリンダー内部で発生する圧力はそれぞれ独立しており、かつ、常にほぼ一定しているからバレルのいずれかが塞がれても残されたバレルの圧力が変化することはない。【００１３】  シリンダーアセンブリーは、複数個のパイプ部材と、各パイプ部材を先端部にて固定する前部固定部材と、各パイプ部材を後端部にて固定する後部固定部材を有して構成されており、前部固定部材にはエア噴射ノズルが設けられ、また、後部固定部材にはピストンの挿入口が開口しているという構成が取られる。これにより、パイプ部材と前部固定部材及び後部固定部材によりシリンダーアセンブリーを容易に形成することができる。【００１４】  ピストンシリンダー機構は三組から成り、ピストンアセンブリーは正面から見て三組が最密的に配置されることで三角形状に組み合わされ、その三組の中心部よりも下方にずれた位置関係を取る結合部を介してピストン軸が配置されており、下方にずれた部分の上部にラックが位置するようにした配置は好ましい構成である。正面から見て三角形に配置された範囲内にて下方にずれることによって、下方にずれた部分の上部に、ラックと噛合う構成を設けることができる。  また、装弾部とエア噴射ノズルに接続されるインターノズルを有し、インターノズルはエア噴射ノズルに対して気密的に摺動可能であり、かつ、ピストン軸と係合して後退するノズルベースと一体的に設けられ、ノズルベースは上記後退に伴い弾丸供給路を開口して弾丸移動を許容したのち係合解除される係合部を有し、係合解除に伴って付勢手段により前進し、インターノズルの先端部にて装弾部に弾丸を押し込むように構成されることが望ましい。
【発明の効果】
【００１５】  本発明は以上のように構成され、かつ、作用するものであるからコッキング操作を必要とせずに、複数個の弾丸の連続発射を可能にした複数弾連続発射機能を備えた電動ガンを提供することができる。また、本発明によれば、弾丸は複数個のバレルから常に同じ圧力で発射されるのでいわゆる銃刀法の規定が順守され、安全性の高い電動ガンを提供することができる。
【発明を実施するための最良の形態】
【００１６】  以下、図示の実施形態を参照して本発明をより詳細に説明する。図１は本発明に係る複数弾発射型電動ガンＧを示すもので、複数個の例として３個のバレル１１、１２、１３を有しており、従って、圧縮エア生成部１０は３個のシリンダー２１、２２、２３から成るシリンダーアセンブリー２０と、３個のピストン３１、３２、３３から成るピストンアセンブリー３０及びピストンアセンブリー３０を駆動する電動機構４０を有して構成されている（図３以下参照）。【００１７】  バレル後部には装弾アセンブリー５０が設けられ、その下部には着脱式のマガジン５１が装着されている。装弾アセンブリー５０において、３個のバレル１１、１２、１３の後端内部にそれぞれ弾丸Ｂを配置する装弾部１４が設定されており、装弾部１４には弾道調節用のホップアップ機構１５が設けられている。また、３個のバレル１１、１２、１３の後端外部は接続パッキング１６が覆っており、接続パッキング１６はゴム等柔軟性素材を用いて形成されたシール性能を有するものから成る（図２、図６参照）。【００１８】  圧縮エア生成部１０は、複数弾発射型電動ガンＧにおいて各バレル１１、１２、１３から弾丸Ｂを発射するために各弾丸Ｂに噴射するエアを生成する部分である。バレル自体は３個が正面から見て三角形状となるように組み合わされ、電動ガンＧの内部にあってその後方には圧縮エア生成部１０が配置されている。圧縮エア生成部１０を構成する前記のシリンダーアセンブリー２０、ピストンアセンブリー３０及び電動機構４０は、この順にてほぼ一直線状に配置されている。【００１９】  シリンダーアセンブリー２０は、３個のバレル１１、１２、１３の後部に位置し、エア噴射ノズル２４を先端に有し、内部をピストン３１、３２、３３が往復運動する３個のシリンダー２１、２２、２３を有している。図示のシリンダーアセンブリー２０は、３個のパイプ部材２５と、各パイプ部材２５を先端部にて固定する前部固定部材２６と、各パイプ部材２５を後端部にて固定する後部固定部材２７を有して構成されている（図３〜図５参照）。【００２０】  上記エア噴射ノズル２４は前部固定部材２６に設けられており、後部固定部材２７にはピストンの挿入口２５ａが開口している。噴射ノズル２４は、パイプ取り付け部材２５ｂの正面に設けられており、パイプ取り付け部材２５ｂは前部固定部材２６の後面に止め具２５ｃにて取り付けられている。上記パイプ取り付け部材２５ｂは、パイプ部材２５の内部に嵌め合わされる位置関係にて、シール手段２６ａを用いて気密に組み立てられている（図６）。【００２１】  図示の実施形態に示されているように、装弾部１４とエア噴射ノズル２４にはインターノズル２８が接続され、ノズルベース２９により前後方向へ移動可能に設けられている。インターノズル２８は噴射ノズル２４に対して気密的に摺動し、圧縮エア生成部１０にて生成された圧縮エアを弾丸に噴射する位置にある。インターノズル２８は、ノズルベース２９の立ち上がり部２９ａに取り付けられ、模擬銃Ｇの本体に前進後退可能に組みこまれている。【００２２】  従って、インターノズル２８は、後述するピストン３１、３２、３３の後退動作に伴って、後述するラッチ部材４９���の係合により後退し、ノズルベース２９に作用する付勢手段２９ｂのバネにより前進する（図２参照）。そして、その先端は接続パッキング１６に対しても気密的に摺動し、接続パッキング１６から離れて、弾丸Ｂがバレル後端部に押し上げられる隙間を開けるために後退し、その後、弾丸Ｂを装弾部１４に押し込むために前進するように構成されている。【００２３】  上記エア噴射ノズル２４は、３個のシリンダー２１、２２、２３の各パイプ部材２５、２５、２５の中心に寄った位置に設けられている。これは図示の例における複数個のバレル１１、１２、１３が３個であるために、バレルよりも大径となるシリンダーパイプの中心と合わせることができないために取られた対策である。よって、エア噴射ノズル２４の位置は、バレルとシリンダーパイプの中心の位置との関係から決められる。【００２４】  上記ピストンアセンブリー３０は、各シリンダー２１、２２、２３の内部を往復運動して圧縮エアを生成する３個のピストン３１、３２、３３を有している。また、これら３個のピストン３１、３２、３３は、後方の結合部３４にて一か所にまとめられ、また、往復運動方向に沿ったラック３６を有する１個のピストン軸３５を結合部と一体に設けて構成されている。【００２５】  ３個のピストン３１、３２、３３は、結合部３４に融通性をもって結合され、それによりピストン３１、３２、３３とシリンダー内壁面との間のシール性能が維持されるように構成されている。つまり、ピストンシリンダー機構を構成するピストンとシリンダーは、それらの位置関係又は嵌合の精度の高い方が高圧縮率を得易く、それにはそれぞれの軸芯も高精度で一致していなければならない。しかし、或る程度の融通性を持たせることによって、過度の精度を必要とせずに、高い圧縮率を得ることができる。【００２６】  上記の融通性を与えるため、本発明ではピストン３１、３２、３３を細長いロッド３７の先端に設けるとともに、ロッド３７の後方の結合部３４にて可動的に軸止するという構成を取っている。図示の実施形態では、ピストン往復運動方向に対してロッド３７を左右方向の支軸３７ａを用いて軸止し、ロッド３７が上下方向へ可動であるように構成されている。なお、ピストン３１、３２、３３には図示されたＯ−リングをシール部材３８として用いて気密を維持している。【００２７】  ピストンシリンダー機構が三組から成る実施形態では、前記したようにピストンアセンブリー３０は正面から見て三組が三角形状に組み合わされ、その三組の中心部よりも下方にずれた位置関係をもって結合部３４にピストン軸３５が配置されており、下方にずれた部分の上部にラック３６が位置するように構成されている。このため、ラック３６の位置が三組の中心部に近くなり、電動機構４０の出力ギヤ４１の配置空間３９を稼ぐことができるとともに、出力ギヤ４１による駆動力も、中心線上に近い位置から、より効率的に伝達されるようになる。【００２８】  上記電動機構４０はピストンアセンブリー３０を後退させるとともに弾性部材４２を蓄圧し、蓄圧の解放によりエアを圧縮するために、ラック３６と噛合う出力ギヤ４１を駆動するように構成されている。詳細な図９を参照して説明すると、４３は電動機���ちモーター、４４はその回転軸に取り付けたピニオン、４５はそれと噛合う数段のギヤから成る減速歯車組を示しており出力ギヤ４１はセクターギヤから成る。セクターギヤ４１はラック３６と噛み合ってピストンアセンブリー３０を後退させる有歯部４１ａと、噛み合わずにピストンアセンブリー３０を前進可能にする無歯部４１ｂとを有している。【００２９】  ピストン軸３５は中空構造を有し、中空内部のコイルばねとして示された弾性部材４２によって前進方向へ付勢されている。上記コイルばねから成る弾性部材４２は一端がピストン軸中空内部の前端に接し、他端は電動機構４０内部に設けられているピストンの移動部４６である空所の後端にて支えられる。４７は凹凸構造から成るガイド部であり、ピストン軸３５の側面長手方向に設けられ、銃本体側に設けられた凹凸構造から成る係合相手の突部４７ａと係合し、直進のガイドとして機能する（図９参照）。【００３０】  本発明に係る複数弾発射型電動ガンＧには、上記の他、図示しない電源電池や電源電池と電動機４３を結ぶ回路、電源のオン・オフのためのスイッチ等、電動ガンとして作動上必要な機構が備わっているものとする。なお、符号１８はスイッチ、１９は３個のバレルを収めたアウターバレル、４８は発射モード選択のためのセレクター、４９は前に触れたラッチ部材を示す。ラッチ部材４９はノズルベース２９の後端に上下可能な係合手段として支軸２９ａにより軸止されており、ピストン軸３５に設けられている係合相手部４９ａとの係合により後退可能であり、かつ、銃本体側に設けられている、解除部４９ｂとの接触により上記係合を解除可能に構成されている。４９ｃはバネを示しており、ラッチ部材４９を係合相手部４９ａとの係合方向へ付勢する手段である（図２参照）。なお、ノズルベース２９には前方への付勢手段としてバネ２９ｂが作用しており、供給された弾丸Ｂを装弾部１４へ押し出すように構成されている。【００３１】  このように構成された本発明に係る複数弾発射型電動ガンＧにおける作動を図１０、図１１を参照して説明する。図１０Ａは、弾丸Ｂが装弾部１４に装填されており、電源の入ったスタンバイ状態すなわち発射準備完了した状態を示している。この状態において、３個のピストン３１、３２、３３は各シリンダー２１、２２、２３の内部の前進位置にあり静止している。トリガー１７を引けば作動させることができる（図１０Ａでは１個のピストン３１とシリンダー２１の符号のみを示すが後の二つのピストン３２、３３、シリンダー２２、２３も一体的であり全く同様に作動する。）。【００３２】  トリガー１７を引くとスイッチ１８がオンになり、図示していない電気回路により電動機構４０が作動状態になる。そこで、電動機４３が作動しその回転軸が回転すると、減速歯車組４５を介して末端の出力ギヤ４１が回転を始め、出力ギヤ４１と噛み合っているラック３６が後退を開始する（図１０Ｂ参照）。３個のピストン３１、３２、３３が各シリンダー２１、２２、２３の内部にて後退することにより、それに伴って、弾性部材４２の圧縮が開始される。【００３３】  出力ギヤ４１の回転が進行すると、有歯部４１ａとラック３６との噛み合いが外れることになるが、その直前が３個のピストン３１、３２、３３の最大後退限界である。図１１Ａはまさにその有歯部４１ａとラック３６との噛み合いが外れかかっている状態を示している。また、この状態で弾性部材４２は最大限度に圧縮された蓄圧状態にある。【００３４】  出力ギヤ４１がさらに回転し無歯部４１ｂに移ると、有歯部４１ａとラック３６との噛み合いが外れ、弾性部材４２の蓄圧が一挙に解放される（図１１Ｂ）。そのため、ピストンアセンブリー３０が瞬時に前進に切り換わり、シリンダー２１、２２、２３の内部の空気が圧縮され、３個の噴射ノズル２４、２４、２４から３個の弾丸Ｂ、Ｂ、Ｂに向けて噴射される。その結果、全ての弾丸Ｂは各装弾部１４に保持された状態を脱してバレル内部を移動し銃口から発射されることになる。【００３５】  ３個のピストン３１、３２、３３の前進状態では、シリンダー２１、２２、２３に対して軸芯が傾斜しないことが重要である。本発明におけるピストンシリンダー機構の場合、３個のピストン３１、３２、３３は、各ロッド３７が支軸３７ａにより結合部３４に融通性をもって結合されている。そのため、各ピストン３１、３２、３３は全てのシリンダー内壁面との間にてシール性能が維持され、シール部材３８、３８、３８により漏れが防止され完全な圧縮がなされる。【００３６】  図１２は弾丸Ｂが装弾部１４に装填される状態を示している。同図において、出力ギヤ４１の回転に伴って後退するラック３６とともにピストン軸３５が後退し、ノズルベース２９の後端に軸支されている、ラッチ部材４９は係合相手部４９ａとの係合により後方へ連動されるようになる。ノズルベース２９の後退と共にインターノズル２８が後退することで、供給路５１ａが開口してマガジン５１から装弾部１４に通じるようになり（図１２Ａ）、各１発の弾丸Ｂがマガジン５１からの供給圧力により押し出される（図６参照）。インターノズル２８は所定距離後退すると後方にある解除部４９ｂと接触し、上記係合相手部４９ａとの係合が外れて後退が止み、ノズルベース２９に作用している付勢手段２９ｂであるバネの反発力により前進に転じ、その結果、各１発ずつ弾丸Ｂが装填部１４に送り込まれる（図１２Ｂ）。【００３７】  本発明はこのように構成されており、複数個のバレルの内のいずれかを塞ぐ改造が行なわれても、残されたバレルに全ての圧縮エアが集中することはなく、模擬銃について規定された６ｍｍの弾丸を使用した場合、特定された測定点における運動エネルギーが３．５Ｊ／ｃｍ２を超えないという銃砲刀剣類所持等取締法第１条の２等の規定が順守される。そして、いわゆる電動ガンは常に１個の弾丸を連続発射するものという通念を覆し、複数個の弾丸を連発することができるものである。
【図面の簡単な説明】
【００３８】
【図１】本発明に係る複数弾発射型電動ガンの一例を示す側面説明図である。
【図２】同じく複数弾発射型電動ガンの要部を拡大して示す断面説明図である。
【図３】同じくシリンダーアセンブリーとピストンアセンブリーを分解して示す斜視図である。
【図４】同じくシリンダーアセンブリーを示すもので、Ａは斜視図、Ｂは正面図、Ｃは背面図である。
【図５】同じくシリンダーアセンブリーを示すもので、Ａは側面図、Ｂは中央縦断面図である。
【図６】同じくシリンダーアセンブリーから装弾アセンブリーへかけての部分を示す断面説明図である。
【図７】同じくピストンアセンブリーを示すもので、Ａは全体の斜視図、Ｂは正面図である。
【図８】同じくピストンアセンブリーを示す側面図である。
【図９】同じく電動機構を示す説明図である。
【図１０】本発明に係る複数弾発射型電動ガンの作動を示すもので、Ａは発射準備完了状態、Ｂはトリガーを引いた状態をそれぞれ示す断面説明図である。
【図１１】同じく複数弾発射型電動ガンの作動を示すもので、Ａはピストンが開放される直前状態、Ｂは弾丸が発射された状態をそれぞれ示す断面説明図である。
【図１２】同じく複数弾発射型電動ガンの作動を示すもので、Ａは弾丸が装弾部へ装填される際にインターノズルが後退する状態、Ｂは弾丸が装弾部へ押し込まれる状態をそれぞれ示す断面説明図である。
【符号の説明】
【００３９】  １０  圧縮エア生成部  １１、１２、１３  バレル  １４  装弾部  １５  ホップ機構  １６  接続パッキング  １７  トリガー  １８  スイッチ  １９  アウターバレル  ２０  シリンダーアセンブリー  ２１、２２、２３  シリンダー  ２４  噴射ノズル  ２５  パイプ部材  ２６  前部固定部材  ２７  後部固定部材  ２８  インターノズル  ２９  ノズルベース  ３０  ピストンアセンブリー  ３１、３２、３３  ピストン  ３４  結合部  ３５  ピストン軸  ３６  ラック  ３７  ロッド  ３８  シール部材  ３９  ギヤ配置空間  ４０  電動機構  ４１  出力ギヤ  ４２  弾性部材  ４３  電動機  ４４  ピニオン  ４５  減速歯車組  ４６  ピストン移動部  ４７  ガイド溝  ４８  セレクター  ４９  ラッチ部材  ５０  装弾アセンブリー  ５１  マガジン
【図１】
2016151763.tif 000003
【図２】
2016151763.tif 000004
【図３】
2016151763.tif 000005
【図４】
2016151763.tif 000006
【図５】
2016151763.tif 000007
【図６】
2016151763.tif 000008
【図７】
2016151763.tif 000009
【図８】
2016151763.tif 000010
【図９】
2016151763.tif 000011
【図１０】
2016151763.tif 000012
【図１１】
2016151763.tif 000013
【図１２】
2016151763.tif 000014
【国際調査報告】
2016151763.tif 000015
2016151763.tif 000016
2016151763.tif 000017
2016151763.tif 000018